(57)【要約】      （修正有）【課題】洋式便器に衛生的に設置できる衛生用品を提供する。【解決手段】衛生用品６は、洋式便器１の便蓋４の裏面４１に取り付けられるホルダと、ホルダに保持される芳香剤、除菌剤、あるいは消臭剤などの薬剤とを備える。衛生用品が便蓋の裏面に取り付けられるので、衛生用品に汚物が付着することを抑制でき、衛生用品を衛生的に洋式便器に取り付けることができる。【選択図】図１
0003198786.tif 000002
【実用新案登録請求の範囲】
【請求項１】
洋式便器の便蓋の裏面に取り付けられるホルダと、
前記ホルダに保持される薬剤と、
を備えることを特徴とする衛生用品。
【請求項２】
洋式便器の便座の裏面に取り付けられるホルダと、
前記ホルダに保持される薬剤と、
を備えることを特徴とする衛生用品。
【請求項３】
請求項１または請求項２に記載の衛生用品において、
前記ホルダは、前記蓋または前記便座に両面テープによって取り付けられることを特徴とする衛生用品。
【請求項４】
請求項１から請求項３のいずれか一つに記載の衛生用品を備えることを特徴とする洋式便器。
【請求項５】
請求項２または請求項３に記載の衛生用品を備え、
使用者が着座するための着座位置に前記便座がある際に、前記衛生用品の下端と前記洋式便器のボウル部の上面との間に隙間が形成され、前記衛生用品は、前記ボウル部の上面から離れていることを特徴とする洋式便器。
【考案の詳細な説明】
【技術分野】
【０００１】
本考案は、洋式便器に取り付けられる衛生用品および洋式便器に関する。
【背景技術】
【０００２】
従来、芳香剤等の薬剤を保持し、小便器の排水部に設置される衛生用品が知られる（例えば特許文献１）。
【先行技術文献】
【特許文献】
【０００３】
【特許文献１】特開２００９−５２１９８号公報
【考案の概要】
【考案が解決しようとする課題】
【０００４】
このような薬剤を保持する衛生用品において、洋式便器に設置可能なものが望まれている。ここで、洋式便器においては、ボウル内に衛生用品を設置することは衛生的に好ましくない。
【０００５】
本考案は、洋式便器に衛生的に設置できる衛生用品を提供することを目的とする。
【課題を解決するための手段】
【０００６】
本考案の衛生用品は、洋式便器の便蓋の裏面に取り付けられるホルダと、前記ホルダに保持される薬剤と、を備えることを特徴とする。
【０００７】
本考案の衛生用品は、洋式便器の便座の裏面に取り付けられるホルダと、前記ホルダに保持される薬剤と、を備えることを特徴とする。
【０００８】
本考案では、前記ホルダは、前記蓋または前記便座に両面テープによって取り付けられてもよい。
【０００９】
本考案の洋式便器は、上記衛生用品を備えることを特徴とする。
【００１０】
本考案では、洋式便器の便座の裏面に取り付けられる上記衛生用品を備え、使用者が着座するための着座位置に前記便座がある際に、前記衛生用品の下端と前記洋式便器のボウル部の上面との間に隙間が形成され、前記衛生用品は、前記ボウル部の上面から離れていてもよい。
【図面の簡単な説明】
【００１１】
【図１】第１実施形態の洋式便器の斜視図である。
【図２】衛生用品の側面図である。
【図３】蓋部材の平面図である。
【図４】第２実施形態の洋式便器の斜視図である。
【図５】便座が着座位置にある際の突起部および衛生用品を示す断面図である。
【考案を実施するための形態】
【００１２】
以下、実施形態について図面を参照しつつ説明する。
（第１実施形態）
図１は、洋式便器１の斜視図である。
洋式便器１は、ボウル状の汚物受け面２１を有するボウル部２と、ボウル部２に回動可能に支持され、人が着座するリング状の便座３と、ボウル部２に回動可能に支持され、閉位置にある際に便座３を覆う便蓋４とを備える。ボウル部２には、タンク５等から洗浄水が供給される。洗浄水は、汚物受け面２１上の汚物を洗浄し、汚物受け面２１の底にある排水部２２（図４）から排水される。
【００１３】
便蓋４の裏面４１には、衛生用品６が両面テープ６１によって取り付けられる。
衛生用品６は、便蓋４の裏面４１において、便蓋４が閉位置にある際に便座３の開口部３１内に位置付けられる位置に取り付けられる。衛生用品６は、例えば便蓋４の裏面４１の中央部に取り付けられる。なお、便蓋４の裏面４１とは、便蓋４においてボウル部２と対向する面を指す。
【００１４】
図２は、衛生用品６の側面図である。
衛生用品６は、ケース６２（ホルダ）と、ケース６２に収容される薬剤６３とを備える。
ケース６２は、有底円筒状のケース本体６２１と、ケース本体６２１に取り付けられる蓋部材６２２とを備える。
【００１５】
薬剤６３は、本実施形態では芳香剤とするが、除菌剤あるいは消臭剤であってもよい。ケース本体６２１の底面中央部からは、ケース本体６２１より小径の突起部６２３が突出する。突起部６２３に両面テープ６１が貼り付けられる。
【００１６】
図３は、蓋部材６２２の平面図である。
蓋部材６２２には、蓋部材６２２を貫通する複数の溝部６２４がある。複数の溝部６２４から芳香剤の香りが衛生用品６の外部に拡散する。
【００１７】
本実施形態では、衛生用品６が便蓋４の裏面４１に取り付けられるので、衛生用品６に汚物が付着することを抑制でき、衛生用品６を衛生的に洋式便器１に取り付けることができる。
【００１８】
薬剤６３の効果が切れた場合、衛生用品６を新しいものに交換するか、内部の薬剤６３を交換する必要があり、いずれにしても衛生用品６を洋式便器１から取り外す必要がある。
本実施形態では、衛生用品６を両面テープ６１によって洋式便器１に取り付けるので、衛生用品６を容易に着脱可能に洋式便器１に取り付けることができる。
【００１９】
（第２実施形態）
図４は、洋式便器１Ａの斜視図である。
本実施形態では、衛生用品６Ａは、便座３の裏面３２に取り付けられる。
便座３の裏面３２とは、便座３においてボウル部２の上面２３に対向する面を指す。便座３の裏面３２には、複数の突起部３３がある。
【００２０】
図５は、便座３が着座位置にある際の突起部３３および衛生用品６Ａを示す断面図である。
使用者が着座するための着座位置に便座３がある際に、突起部３３は、ボウル部２の上面２３に当接する。
【００２１】
衛生用品６Ａにおいて、取り付け位置以外の構成は、第１実施形態と同様である。すなわち、衛生用品６Ａは、ケース６２内に薬剤６３を収容する。ケース６２には、ケース６２を貫通する複数の溝部６２４がある。
【００２２】
便座３が着座位置にある際には、衛生用品６Ａは、便座３の裏面３２とボウル部２の上面２３との間に位置する。ケース６２の高さは、突起部３３の高さより低い。これにより、便座３が着座位置にある際に、衛生用品６Ａの下端とボウル部２の上面２３との間に隙間Ｓが形成され、衛生用品６Ａは、ボウル部２の上面２３から離れることとなる。
【００２３】
本実施形態では、衛生用品６Ａが便座３の裏面３２に取り付けられるので、衛生用品６に汚物が付着することを抑制でき、衛生用品６Ａを衛生的に洋式便器１Ａに取り付けることができる。また、本実施形態では、衛生用品６Ａが便座３の裏面３２に取り付けられるので、便座３が着座位置にある際に衛生用品６Ａを見えにくくでき、洋式便器１Ａの美観を良好にできる。
【００２４】
本実施形態では、便座３が着座位置にある際に、衛生用品６Ａがボウル部２の上面２３から離れるので、衛生用品６Ａをより衛生的に設置できる。
【００２５】
（変形例）
第１、第２実施形態では、ホルダの例として、薬剤６３を収容するケース６２を挙げたが、ホルダは、薬剤６３を外部に露出させた状態で薬剤６３を保持してもよく、薬剤６３を保持できればよい。
【００２６】
薬剤６３は、液体状でも、ゲル状でも、固体状であってもよいし、シートに染み込まされていてもよい。
第２実施形態のケース６２は、便座３が着座位置にある際に、ボウル部２の上面２３に当接してもよい。
【符号の説明】
【００２７】
１、１Ａ…洋式便器、２…ボウル、４…便蓋、６、６Ａ…衛生用品、２３…ボウル部の上面、４１…便蓋の裏面、６１…両面テープ、６２…ケース（ホルダ）、６３…薬剤、Ｓ…隙間。
【図１】
0003198786.tif 000003
【図２】
0003198786.tif 000004
【図３】
0003198786.tif 000005
【図４】
0003198786.tif 000006
【図５】
0003198786.tif 000007